【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】  電話回線網を構成する基地局との間の第１の無線通信を制御する第１の無線通信制御手段と、装置内部に設けた内部通信回線を用いた通信の制御を行なう内部通信制御手段と、前記第１の無線通信制御手段及び前記内部通信制御手段を制御して所定の情報データ及び前記所定の情報データに関する操作指示を伝達する制御手段と、を有する電話通信処理部と、
前記所定の情報データが記録された情報データ記録手段と、前記内部通信回線を介して前記電話通信処理部より入力される前記所定の情報データ及び前記所定の情報データに関する操作指示についての通信を制御する前記情報データ記録手段側の内部通信制御手段と、外部の装置との間の第２の無線通信を制御する第２の無線通信制御手段と、前記情報データ記録手段側の内部通信制御手段あるいは前記第２の無線通信制御手段経由で取得した前記所定の情報データに関する操作指示に応じて前記情報データ記録手段に記録された前記所定の情報データを処理する情報データ処理手段と、を有する情報データ記録部と、
を有する携帯通信装置。
【請求項２】  前記情報データ記録部の前記情報データ処理手段は、さらに、必要に応じて前記情報データ記録手段に記録された前記情報データに暗号化を施す暗号化手段を有しており、暗号化した暗号化データを前記情報データ記録手段側の内部通信制御手段あるいは前記第２の無線通信制御手段経由で送出する請求項１記載の携帯通信装置。
【請求項３】  前記情報データ記録部の前記暗号化手段は、さらに、前記情報データ記録手段側の内部通信制御手段あるいは前記第２の無線通信制御手段経由で取得した暗号化された前記情報データを復号化して前記情報データ記録手段に記録する請求項２記載の携帯通信装置。
【請求項４】  前記情報データ記録部は、前記携帯通信装置から着脱可能である請求項１記載の携帯通信装置。
【請求項５】  前記携帯通信装置は、携帯電話、ＰＨＳ（Personal Handy-phone System）、ＰＤＡ（Personal Digital Assistants；携帯情報端末）、あるいは通信機能付き携帯型パーソナルコンピュータを含む小型軽量型の情報端末である請求項１記載の携帯通信装置。
【請求項６】  電話回線網を構成する基地局との間の第１の無線通信を制御する第１の無線通信制御手段と、装置内部に設けた内部通信回線を用いた通信の制御を行なう内部通信制御手段と、前記第１の無線通信制御手段及び前記内部通信制御手段を制御して所定の情報データ及び前記所定の情報データに関する操作指示を伝達する制御手段と、を有する電話通信処理部と、前記所定の情報データが記録された情報データ記録手段と、前記内部通信回線を介して前記電話通信処理部より入力される前記所定の情報データ及び前記所定の情報データに関する操作指示についての通信を制御する前記情報データ記録手段側の内部通信制御手段と、外部の装置との間の第２の無線通信を制御する第２の無線通信制御手段と、前記情報データ記録手段側の内部通信制御手段あるいは前記第２の無線通信制御手段経由で取得した前記所定の情報データに関する操作指示に応じて前記情報データ記録手段に記録された前記所定の情報データを処理する情報データ処理手段と、を有する情報データ記録部と、を備えた携帯通信装置と、
前記電話回線網を介して接続する前記携帯通信装置との通信を制御する通信制御手段と、前記携帯通信装置の前記情報データ記録手段に記録された前記情報データの読み出しあるいは書き込み処理を制御する処理手段と、を有する情報サーバと、
を有する通信システム。
【請求項７】  前記携帯通信装置の前記情報データ記録部の情報データ処理手段は、さらに、必要に応じて前記情報データ記録手段に記録された前記情報データに暗号化を施す暗号化手段を有しており、暗号化した暗号化データを前記情報データ記録手段側の内部通信制御手段経由で前記電話通信処理部へ送信し、前記電話通信処理部の制御手段は、前記暗号化データを前記第１の無線通信制御手段経由で前記情報サーバへ送信し、
前記情報サーバの前記処理手段は、さらに、前記暗号化データを復号化する復号化手段を有しており、前記通信制御手段により取得した前記暗号化データを復号化する請求項６記載の通信システム。
【請求項８】  電話回線網を構成する基地局との間の第１の無線通信を制御する第１の無線通信制御手段を有する電話通信処理部と、必要に応じて外部の装置との間で第２の無線通信を行なう第２の無線通信制御手段を有する情報データ記録部と、が装置内部に設けた内部通信回線によって接続する携帯通信装置の前記情報データ記録部に予め所定の情報データを記憶しておき、
前記電話通信処理部が前記第１の無線通信制御手段によって前記基地局を介して前記電話回線網に接続した場合に、必要に応じて前記内部通信回線経由で前記情報データ記録部に対して前記所定の情報データに関する操作指示を伝達し、前記情報データ記録部が前記指示に対して前記内部通信回線を介して前記情報データあるいは応答を送出し、前記電話通信処理部が取得した前記情報データあるいは応答を前記第１の無線通信制御手段経由で前記電話回線網に接続する他の装置に送信する手順と、
前記情報データ記録部が前記第２の無線通信制御手段を介して前記外部の装置から前記所定の情報データに関する操作指示を受信した場合に、前記外部の装置からの指示に応じて前記所定の情報データあるいは応答を前記第２の無線通信制御手段を介して送信する手順と、
を有する通信方法。
【請求項９】  電話回線網を構成する基地局との間の第１の無線通信を制御する第１の無線通信制御手段を有する電話通信処理部と、必要に応じて外部の装置との間で第２の無線通信を行なう第２の無線通信制御手段を有する情報データ記録部と、が装置内部に設けた内部通信回線によって接続する携帯通信装置に搭載されたコンピュータに、
前記情報データ記録部に予め所定の情報データを記憶しておき、
前記電話通信処理部が前記第１の無線通信制御手段によって前記基地局を介して前記電話回線網に接続した場合に、必要に応じて前記内部通信回線経由で前記情報データ記録部に対して前記所定の情報データに関する操作指示を伝達し、前記情報データ記録部が前記指示に対して前記内部通信回線を介して前記情報データあるいは応答を送出し、前記電話通信処理部が取得した前記情報データあるいは応答を前記第１の無線通信制御手段経由で前記電話回線網に接続する他の装置に送信する手順と、
前記情報データ記録部が前記第２の無線通信制御手段を介して前記外部の装置から前記所定の情報データに関する操作指示を受信した場合に、前記外部の装置からの指示に応じて前記所定の情報データあるいは応答を前記第２の無線通信制御手段を介して送信する手順と、
を実行させるためのプログラム。
【手続補正２】
【補正対象書類名】明細書
【補正対象項目名】００１０
【補正方法】変更
【補正の内容】
【００１０】
【課題を解決するための手段】
本発明では上記課題を解決するために、電話回線網を構成する基地局との間の第１の無線通信を制御する第１の無線通信制御手段と、装置内部に設けた内部通信回線を用いた通信の制御を行なう内部通信制御手段と、前記第１の無線通信制御手段及び前記内部通信制御手段を制御して所定の情報データ及び前記所定の情報データに関する操作指示を伝達する制御手段と、を有する電話通信処理部と、前記所定の情報データが記録された情報データ記録手段と、前記内部通信回線を介して前記電話通信処理部より入力される前記所定の情報データ及び前記所定の情報データに関する操作指示についての通信を制御する前記情報データ記録手段側の内部通信制御手段と、外部の装置との間の第２の無線通信を制御する第２の無線通信制御手段と、前記情報データ記録手段側の内部通信制御手段あるいは前記第２の無線通信制御手段経由で取得した前記所定の情報データに関する操作指示に応じて前記情報データ記録手段に記録された前記所定の情報データを処理する情報データ処理手段と、を有する情報データ記録部と、を有する携帯通信装置、が提供される。
【手続補正３】
【補正対象書類名】明細書
【補正対象項目名】００１２
【補正方法】変更
【補正の内容】
【００１２】
また、上記課題を解決するために、電話回線網を構成する基地局との間の第１の無線通信を制御する第１の無線通信制御手段と、装置内部に設けた内部通信回線を用いた通信の制御を行なう内部通信制御手段と、前記第１の無線通信制御手段及び前記内部通信制御手段を制御して所定の情報データ及び前記所定の情報データに関する操作指示を伝達する制御手段と、を有する電話通信処理部と、前記所定の情報データが記録された情報データ記録手段と、前記内部通信回線を介して前記電話通信処理部より入力される前記所定の情報データ及び前記所定の情報データに関する操作指示についての通信を制御する前記情報データ記録手段側の内部通信制御手段と、外部の装置との間の第２の無線通信を制御する第２の無線通信制御手段と、前記情報データ記録手段側の内部通信制御手段あるいは前記第２の無線通信制御手段経由で取得した前記所定の情報データに関する操作指示に応じて前記情報データ記録手段に記録された前記所定の情報データを処理する情報データ処理手段と、を有する情報データ記録部と、を備えた携帯通信装置と、前記電話回線網を介して接続する前記携帯通信装置との通信を制御する通信制御手段と、前記携帯通信装置の前記情報データ記録手段に記録された前記情報データの読み出しあるいは書き込み処理を制御する前記処理手段と、を有する情報サーバと、を有する通信システム、が提供される。
【手続補正４】
【補正対象書類名】明細書
【補正対象項目名】００１４
【補正方法】変更
【補正の内容】
【００１４】
また、上記課題を解決するために、電話回線網を構成する基地局との間の第１の無線通信を制御する第１の無線通信制御手段を有する電話通信処理部と、必要に応じて外部の装置との間で第２の無線通信を行なう第２の無線通信制御手段を有する情報データ記録部と、が装置内部に設けた内部通信回線によって接続する携帯通信装置の前記情報データ記録部に予め所定の情報データを記憶しておき、前記電話通信処理部が前記第１の無線通信制御手段によって前記基地局を介して前記電話回線網に接続した場合に、必要に応じて前記内部通信回線経由で前記情報データ記録部に対して前記所定の情報データに関する操作指示を伝達し、前記情報データ記録部が前記指示に対して前記内部通信回線を介して前記情報データあるいは応答を送出し、前記電話通信処理部が取得した前記情報データあるいは応答を前記第１の無線通信制御手段経由で前記電話回線網に接続する他の装置に送信する手順と、前記情報データ記録部が前記第２の無線通信制御手段を介して前記外部の装置から前記所定の情報データに関する操作指示を受信した場合に、前記外部の装置からの指示に応じて前記所定の情報データあるいは応答を前記第２の無線通信制御手段を介して送信する手順と、を有する通信方法、が提供される。